(57)【要約】【課題】本発明の目的は、訴求面に表示された商品情報等の視認性を向上させたラベルを提供する。【解決手段】容器の首部に挿入可能な開口部３が形成されたラベル１であって、開口部３を挟んで第１の方向に設けられた一対の訴求面部４と、開口部３の内周に設けられ、前記第１の方向で対向する一対の当接部５と、開口部３を挟んで前記第１の方向と直交する第２の方向に設けられた一対の折り曲げ部７と、を備え、一対の折り曲げ部７において一対の訴求面部４が裏面側に折り曲げられ、開口部３が前記容器の前記首部に挿入されたときに、一対の当接部５は、前記容器の前記首部と当接し、一方の訴求面部４の前記第２の方向における側縁部４ａと、他方の訴求面部４の前記第２の方向における側縁部４ａとが互いに接近し、一対の訴求面部４のそれぞれの裏面は、前記容器の外周面に当接すること、を特徴とする。【選択図】図１
2015175891.tif 000002
【特許請求の範囲】
【請求項１】
容器の首部に挿入可能な開口部が形成されたラベルであって、
前記開口部を挟んで第１の方向に設けられた一対の訴求面部と、
前記開口部の内周に設けられ、前記第１の方向で対向する一対の当接部と、
前記開口部を挟んで前記第１の方向と直交する第２の方向に設けられた一対の折り曲げ部と、
を備え、
一対の前記折り曲げ部において一対の前記訴求面部が裏面側に折り曲げられ、前記開口部が前記容器の前記首部に挿入されたときに、
一対の前記当接部は、前記容器の前記首部と当接し、
一方の前記訴求面部の前記第２の方向における側縁部と、他方の前記訴求面部の前記第２の方向における側縁部とが互いに接近し、
一対の前記訴求面部のそれぞれの裏面は、前記容器の外周面に当接すること、
を特徴とするラベル。
【請求項２】
請求項１に記載のラベルにおいて、
前記折り曲げ部は、前記開口部の内周側から前記訴求面部の前記側縁部に向かって狭くなる略Ｖ字形の折り代を有すること、
を特徴とするラベル。
【請求項３】
請求項２に記載のラベルにおいて、
前記折り代には、ミシン目が設けられていること、
を特徴とするラベル。
【発明の詳細な説明】
【技術分野】
【０００１】
本発明は、シャンプーボトル等に装着されるラベルに関する。
【背景技術】
【０００２】
従来、飲料水等のボトルの首部分に装着する販売促進用のラベルが提案されている（特許文献１参照）。
【先行技術文献】
【特許文献】
【０００３】
【特許文献１】特開２０００−３５５３１１号公報
【発明の概要】
【発明が解決しようとする課題】
【０００４】
従来例のラベルでは、訴求面（商品情報や広告等の表示部分）を大きくすると、訴求面が容器の外周面から離れて外側に広がり、容器の外周面に沿って垂れ下がりにくくなる。そのため、消費者は、やや下方から、訴求面に表示された商品情報や広告等（以下、「商品情報等」という）を視認することが難しくなる。
【０００５】
本発明の目的は、訴求面に表示された商品情報等の視認性を向上させたラベルを提供することにある。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、容器の首部に挿入可能な開口部（３）が形成されたラベル（１）であって、前記開口部を挟んで第１の方向に設けられた一対の訴求面部（４）と、前記開口部の内周に設けられ、前記第１の方向で対向する一対の当接部（５）と、前記開口部を挟んで前記第１の方向と直交する第２の方向に設けられた一対の折り曲げ部（７）と、を備え、一対の前記折り曲げ部において一対の前記訴求面部が裏面側に折り曲げられ、前記開口部が前記容器の前記首部に挿入されたときに、一対の前記当接部は、前記容器の前記首部と当接し、一方の前記訴求面部の前記第２の方向における側縁部（４ａ）と、他方の前記訴求面部の前記第２の方向における側縁部（４ａ）とが互いに接近し、一対の前記訴求面部のそれぞれの裏面は、前記容器の外周面に当接すること、を特徴とするラベルである。
【０００８】
第２の発明は、第１の発明のラベル（１）において、前記折り曲げ部（７）は、前記開口部（３）の内周側から前記訴求面部（４）の前記側縁部（４ａ）に向かって狭くなる略Ｖ字形の折り代（７ａ）を有すること、を特徴とするラベルである。
【０００９】
第３の発明は、第２の発明のラベル（１）において、前記折り代（７ａ）には、ミシン目が設けられていること、を特徴とするラベルである。
【発明の効果】
【００１０】
本発明によれば、訴求面に表示された商品情報等の視認性を向上させたラベルを提供することができる。
【図面の簡単な説明】
【００１１】
【図１】実施形態のラベル１を示す平面図である。
【図２】ラベル１を容器１０に装着する際の手順を示す斜視図である。
【図３】ラベル１を装着した容器１０をラベル１の第１の方向から見たときの部分正面図である。
【図４】ラベル１を装着した容器１０をラベル１の第２の方向から見たときの部分側面図である。
【図５】ラベル１を装着した容器１０の平面図である。
【図６】外径の大きな容器１０Ａに装着するラベル１Ａを示す平面図である。
【図７】ラベル１Ａを装着した容器１０Ａをラベル１Ａの第２の方向から見たときの部分正面図である。
【図８】ラベル１Ａを装着した容器１０Ａの平面図である。
【発明を実施するための形態】
【００１２】
以下、本発明に係るラベルを、シャンプーボトル（以下、「容器」という）に装着されるラベルに適用した場合の実施形態について説明する。
【００１３】
図１は、本実施形態のラベル１を示す平面図である。図２（ａ）、（ｂ）は、ラベル１を容器１０に装着する際の手順を示す斜視図である。なお、本実施形態では、図１に示すように、ラベル１の長手方向を第１の方向といい、この第１の方向と直交する方向を第２の方向という。
【００１４】
図１に示すように、ラベル１は、略長方形に形成されたシート２により構成される。シート２としては、紙、樹脂等のシート材が用いられる。シート２として用いられるシート材は、訴求面部４（後述）の表面に商品情報等を印刷可能な材質、又は商品情報等を印刷したシール等を貼り付け可能な材質であることが望ましい。
【００１５】
シート２の略中央には、開口部３が形成されている。開口部３は、図２に示す容器１０のポンプヘッド（首部）１１に挿入される部分である。開口部３の短手方向（第１の方向）の長さＬ１は、後述する折り曲げ部７において、訴求面部４を裏面側に折り曲げたときに、一対の第１当接部５（後述）がポンプヘッド１１に挿入可能な間隔となるように設定される。また、開口部３の長手方向（第２の方向）の長さＬ２は、ポンプヘッド１１の直径とほぼ同じ寸法に設定される。
【００１６】
ラベル１は、一対の訴求面部４と、一対の第１当接部５と、一対の第２当接部６と、一対の折り曲げ部と、を備える。
一対の訴求面部４（以下、「訴求面部４」ともいう」は、開口部３を挟んで第１の方向に設けられた部分である。訴求面部４は、商品情報等が表示される部分である。商品情報等は、訴求面部４のいずれか一方の側、又は両方の側に表示される。訴求面部４は、第２の方向の両端に、それぞれ側縁部４ａを備える。
【００１７】
一対の第１当接部５（以下、「第１当接部５」ともいう）は、ラベル１が容器１０に装着された際に、ポンプヘッド１１の側面に当接する部分であり、開口部３の内周に沿って設けられている。一対の第１当接部５は、開口部３を挟んで、第１の方向で対向している。
【００１８】
一対の第２当接部６（以下、「第２当接部６」ともいう）は、ラベル１が容器１０に装着された際に、ポンプヘッド１１と容器１０との間に形成された隙間に嵌め込まれる部分であり、開口部３の内周に沿って設けられている。一対の第２当接部６は、開口部３を挟んで、第２の方向で対向している。
【００１９】
従って、ラベル１が容器１０に装着されると、ラベル１の第１当接部５が第１の方向においてポンプヘッド１１の側面に当接し、ラベル１の第２当接部６が第２の方向においてポンプヘッド１１と容器１０との間に形成された隙間に嵌め込まれる。
【００２０】
一対の折り曲げ部７（以下、「折り曲げ部７」ともいう）は、作業者がラベル１を容器１０に装着する際に折り曲げられる部分である。折り曲げ部７は、開口部３を挟んで第２の方向に設けられている。折り曲げ部７は、開口部３の内周側から訴求面部４の側縁部４ａに向かって狭くなる略Ｖ字形の折り代７ａを有する。折り代７ａには、ミシン目が設けられている。ミシン目は、折り代７ａを折り曲げ易くするために設けられている。ミシン目は、直線状の切り込みが所定の間隔で形成された部分である。図１に示す折り代７ａにおいて、実線の部分は切り込みの入っている箇所を示し、隣接する切り込み間の白地部分は切り込みが入っていない箇所を示す。
【００２１】
また、ラベル１において、第１当接部５の端部と第２当接部６の端部とが接続する領域には、略Ｊ字形の切り込み１ａが設けられている。切り込み１ａを設けることにより、折り曲げ部７の中央部分を平坦に保ったまま、折り曲げ部７の折り代７ａにおいて訴求面部４を裏面側に折り曲げることができる。また、切り込み１ａを設けることにより、折り曲げ部７の折り代７ａにおいて訴求面部４を裏面側に折り曲げたときに、第２当接部６を容器１０のポンプヘッド１１と略直交する方向に向けることができる。折り曲げ部７を折り曲げたときの形状については後述する。
【００２２】
次に、ラベル１を容器１０に装着する手順を、図２を参照しながら説明する。図２に示す容器１０は、ポンプヘッド１１より下の断面形状が略楕円形となる容器である。
【００２３】
まず、作業者は、図２（ａ）に示すように、ラベル１を、折り曲げ部７の折り代７ａに沿って、一対の訴求面部４をそれぞれの裏面側に向けて折り曲げる。次に、作業者は、ラベル１の開口部３を容器１０のポンプヘッド１１に挿入する。ラベル１は、容器１０の前面と、前面側に配置される訴求面部４とが一致する向きで挿入される。容器１０の前面は、容器が陳列される際に、消費者側に向けられる面である。容器１０の前面には、例えば商品名等が印刷されている。
【００２４】
ラベル１を容器１０のポンプヘッド１１の根元部分まで挿入することにより、図２（ｂ）に示すように、ラベル１を容器１０に装着することができる。なお、ポンプヘッド１１のノズル１１ａが長い場合には、ラベル１の開口部３をノズル１１ａに通した後、ラベル１の開口部３をポンプヘッド１１に挿入する。
【００２５】
次に、容器１０に装着されたラベル１の形状について説明する。図３は、ラベル１を装着した容器１０をラベル１の第１の方向から見たときの部分正面図である。図４は、ラベル１を装着した容器１０をラベル１の第２の方向から見たときの部分側面図である。図５は、ラベル１を装着した容器１０の平面図である。
【００２６】
ラベル１を容器１０に装着すると、図３に示すように、ラベル１の第２当接部６は、ポンプヘッド１１と容器１０との間に形成された環状の隙間（符号省略）に嵌め込まれる。また、図４に示すように、ラベル１の第１当接部５は、ポンプヘッド１１の側面に当接する。そのため、容器１０に装着されたラベル１の上方向への移動、及び水平方向への移動が抑制される。
【００２７】
なお、ポンプヘッド１１と容器１０との間に環状の隙間がない場合でも、ラベル１の第２当接部６は、ポンプヘッド１１の側面に当接する。その場合、容器１０に装着されたラベル１の水平方向への移動が抑制される。
【００２８】
また、ポンプヘッド１１構造によっては、ポンプヘッド１１の側面に環状の隙間が形成される場合がある。ポンプヘッド１１の側面に、このような環状の隙間が形成されている場合、ラベル１の第１当接部５を、その隙間に嵌め込むことができる。その場合には、ポンプヘッド１１と容器１０との間に環状の隙間がなく、ラベル１の第２当接部６が、ポンプヘッド１１の側面に当接する状態であっても、容器１０に装着されたラベル１の上方向への移動、及び水平方向への移動が抑制される。
【００２９】
また、ラベル１の一対の折り曲げ部７において、一対の訴求面部４を裏面側に向けて折り曲げると、図４に示すように、一方の訴求面部４における側縁部４ａと、他方の訴求面部４における側縁部４ａとが互いに接近する。これにより、一対の訴求面部４のそれぞれの裏面は、容器１０の外周面に当接する。そのため、訴求面部４の面積を大きくした場合でも、訴求面部４が容器１０の外周面から離れて外側に広がりにくくなる。
【００３０】
また、ラベル１の一対の折り曲げ部７において、一対の訴求面部４を裏面側に向けて折り曲げると、図５に示すように、一対の訴求面部４には、一対の折り曲げ部７の折り代７ａの角度θ（図１参照）に応じた曲率の曲面が形成される。そのため、一対の訴求面部４を、容器１０の外周面に沿うようにラウンドさせることができる。
【００３１】
なお、折り曲げ部７において、略Ｖ字形となる折り代７ａの角度θを適宜に調整することにより、ラベル１を装着する容器１０の断面形状に合わせて、一対の訴求面部４の裏面を、容器１０の外周面に当接させることができる。また、一対の訴求面部４を容器１０の外周面に沿うようにラウンドさせることができる。以下、具体例により説明する。
【００３２】
図６は、外径の大きな容器１０Ａに装着するラベル１Ａを示す平面図である。図７は、ラベル１Ａを装着した容器１０Ａをラベル１Ａの第２の方向から見たときの部分正面図である。図８は、ラベル１Ａを装着した容器１０Ａの平面図である。
【００３３】
なお、図７及び図８に示す容器１０Ａは、ポンプヘッド１１より下の断面形状が略円形となる容器である。容器１０Ａは、図２に示す容器１０（断面形状が略楕円形）に比べて、ポンプヘッド１１より下の断面積が大きい。図７及び図８では、図３に示す各部と同等部分には同一符号を付している。
【００３４】
図６に示すように、折り曲げ部７において、略Ｖ字形となる折り代７ａの角度θ´は、図１に示す折り代７ａの角度θよりも大きい。これにより、ラベル１Ａの一対の折り曲げ部７において、一対の訴求面部４を裏面側に向けて折り曲げた場合に、一対の訴求面部４には、ラベル１に比べてより曲率の小さな曲面が形成される。
【００３５】
そのため、ラベル１Ａを装着する容器１０Ａの断面形状が略円形であっても、図７に示すように、一方の訴求面部４における側縁部４ａと、他方の訴求面部４における側縁部４ａとを互いに接近させることができる。
【００３６】
従って、ラベル１Ａにおいては、装着する容器１０Ａの断面形状が略円形であっても、図７に示すように、一対の訴求面部４のそれぞれの裏面を、容器１０Ａの外周面に当接させることができる。そのため、訴求面部４の面積を大きくした場合でも、訴求面部４が容器１０Ａの外周面から離れて外側に広がりにくくなる。
【００３７】
また、ラベル１Ａにおいては、装着する容器１０Ａの断面形状が略円形であっても、一対の折り曲げ部７の折り代７ａの角度θ´に応じた曲率の小さな曲面が形成される。そのため、図８に示すように、一対の訴求面部４を、容器１０Ａの外周面に沿うようにラウンドさせることができる。
【００３８】
上述した実施形態のラベル１によれば、以下のような効果を奏する。
（１）ラベル１の一対の折り曲げ部７において、一対の訴求面部４を裏面側に向けて折り曲げることにより、一方の訴求面部４における側縁部４ａと、他方の訴求面部４における側縁部４ａとを互いに接近させて、一対の訴求面部４のそれぞれの裏面を、容器１０の外周面に当接させることができる。これによれば、ラベル１において、訴求面部４の面積を大きくした場合でも、訴求面部４が容器１０の外周面から離れて外側に広がりにくくなる。そのため、消費者は、やや下方からでも、ラベル１の訴求面部４に表示された商品情報等を視認しやすくなる。従って、実施形態のラベル１によれば、訴求面部４に表示された商品情報等の視認性を向上させることできる。
【００３９】
（２）ラベル１は、訴求面部４の面積を大きくしても、訴求面部４が容器１０の外周面から離れて外側に広がりにくくなる。そのため、ラベル１を装着した容器１０を並べて陳列した場合でも、隣り合う容器１０のラベル同士が接触して、ラベル１にシワや折れ目が付くのを抑制することができる。
【００４０】
（３）ラベル１の一対の折り曲げ部７において、一対の訴求面部４を裏面側に向けて折り曲げることにより、一対の訴求面部４を、容器１０の外周面に沿うようにラウンドさせることができる。そのため、消費者は、ラベル１の訴求面部４に表示された商品情報等を、容器１０の正面だけでなく、斜め側面からも視認することができる。従って、ラベル１の訴求面部４に表示された商品情報等による訴求効果をより高めることができる。
【００４１】
（４）ラベル１の一対の折り曲げ部７において、折り代７ａの角度θを適宜に調整することにより、ラベル１を装着する容器１０の断面形状に合わせて、一対の訴求面部４のそれぞれの裏面を、容器１０の外周面に当接させることができる。また、一対の訴求面部４を容器１０の外周面に沿うようにラウンドさせることができる。従って、ラベル１では、装着する容器の断面形状に応じて、折り曲げ部７における折り代７ａの角度θを適宜に調整することにより、訴求面部４に表示された商品情報等の視認性を向上させることできる。
【００４２】
（５）ラベル１には、略Ｊ字形の切り込み１ａが設けられている。そのため、折り曲げ部７の中央部分を平坦に保ったまま、一対の訴求面部４を裏面側に折り曲げることができる。これによれば、一対の訴求面部４を裏面側に折り曲げた際に、折り曲げ部７にシワや潰れを生じにくいため、容器１０に装着したラベル１の訴求効果を高めることができる。
【００４３】
（６）ラベル１には、略Ｊ字形の切り込み１ａが設けられているため、一対の訴求面部４を裏面側に折り曲げた際に、第２当接部６をポンプヘッド１１の側面と略直交する方向に向けることができる。これによれば、第２当接部６が接触する部分の摩擦抵抗をより大きくすることができるため、ラベル１が上方に引っ張られた場合でも、容器１０からラベル１を外れにくくすることができる。
【００４４】
（７）ラベル１の折り曲げ部７は、開口部３の内周側から訴求面部４の側縁部４ａに向かって狭くなる略Ｖ字形の折り代７ａを有する。そのため、作業者は、折り曲げ部７の折り代７ａを目安にして、一対の訴求面部４を裏面側に向けて容易に折り曲げることができる。従って、ラベル１によれば、作業者がラベル１を容器１０に装着する際の作業性を向上させることができる。
【００４５】
（８）ラベル１において、折り曲げ部７の折り代７ａには、ミシン目が設けられている。そのため、作業者は、折り曲げ部７の折り代７ａを、より少ない力で、且つより正確に折り曲げることができる。従って、ラベル１によれば、作業者がラベル１を容器１０に装着する際の作業性をより向上させることができる。
【００４６】
以上、本発明の実施形態について説明したが、本発明は、上述した実施形態に限定されるものではない。また、本実施形態に記載した効果は、本発明から生じる最も好適な効果を列挙したものに過ぎず、実施形態に記載したものに限定されない。なお、上述した実施形態及び後述する実施形態は、適宜に組み合わせて用いることもできるが、詳細な説明は省略する。
【００４７】
［変形形態］
上記実施形態では、訴求面部４の形状を略長方形として例について説明した。これに限らず、訴求面部４の形状は、円形、楕円形、三角形、五角形以上の多角形等であってもよいし、任意の直線、曲線等、又はこれらの組み合わせにより構成されるものであってもよい。
上記実施形態では、折り曲げ部７における折り代７ａの形状を直線とした例について説明した。これに限らず、折り代７ａの形状を曲線としてもよい。
【００４８】
上記実施形態では、本発明に係るラベルを、シャンプーボトルに装着されるラベルに適用した例について説明した。これに限らず、本発明に係るラベルは、飲料水、酒類、食品、化粧品、洗剤、芳香剤等のボトルのほか、各種の詰め替え用ボトル、スプレー缶等に装着されるラベルにも適用することができる。
【符号の説明】
【００４９】
１，１Ａ    ラベル
１ａ    切り込み
２    シート
３    開口部
４    訴求面部
４ａ    側縁部
５    第１当接部
６    第２当接部
７    折り曲げ部
７ａ    折り代
【図１】
2015175891.tif 000003
【図２】
2015175891.tif 000004
【図３】
2015175891.tif 000005
【図４】
2015175891.tif 000006
【図５】
2015175891.tif 000007
【図６】
2015175891.tif 000008
【図７】
2015175891.tif 000009
【図８】
2015175891.tif 000010